(57)【要約】【課題】止めネジを用いることなく、小型かつ簡易な構成で、レンズユニットの位置調節及び脱着を可能とすることができるとともに、光軸のずれも防止でき、組み立ても容易なレンズ固定構造を提供する。【解決手段】このレンズ固定構造では、ナット体３５をレンズホルダ部３１に外嵌させてそれらのネジ部３７，３９を互いに螺合させ、レンズユニット３３をレンズホルダ部３１内に挿入してそれらのネジ部４３，４５を互いに螺合させ、レンズユニット３３をレンズホルダ部３１に対して正逆に回転させて挿入方向Ａに対する挿入位置を調節し、ナット体３５をレンズホルダ部３１に対して回転させて挿入方向Ａ上流側（レンズユニット３３の当接部４７側）に移動させ、ナット体３５をレンズユニット３３の当接部４７に当接させて締め付けることにより、レンズユニット３３をレンズホルダ部３１に固定する。【選択図】図１
2005352386.tif 000002
【特許請求の範囲】
【請求項１】
カメラのレンズホルダ部にレンズユニットを固定するレンズ固定構造であって、
前記レンズホルダ部の外周面に第１のネジ部を設け、
その内周面に前記第１のネジ部と螺合する第２のネジ部を有し、前記レンズホルダ部に外嵌されるナット体を設け、
前記レンズユニットが前記レンズホルダ部内に挿入された際に互いに対向する前記レンズホルダ部及び前記レンズユニットの周面に、互いに螺合する第３及び第４のネジ部を設け、
前記レンズユニットの外周部に、前記レンズホルダ部の前記第１のネジ部に螺合された前記ナット体と当接可能な当接部を設けることを特徴とするレンズ固定構造。
【請求項２】
請求項１に記載のレンズ固定構造において、
前記第３のネジ部は、前記レンズホルダ部の内周面に設けられた雌ネジ部であり、
前記第４のネジ部は、前記レンズユニットの前記レンズホルダ部内に挿入される部分の外周面に設けられた雄ネジ部であることを特徴とするレンズ固定構造。
【請求項３】
請求項１に記載のレンズ固定構造において、
前記第３のネジ部は、前記レンズホルダ部の前記レンズユニットの外周面に設けられた雄ネジ部であり、
前記第４のネジ部は、前記レンズユニットに設けられた袋ナット部の内周面に設けられた雌ネジ部であることを特徴とするレンズ固定構造。
【請求項４】
請求項１ないし３のいずれかに記載のレンズ固定構造において、
前記ナット体の外周部に、ローレット筋目を設けることを特徴とするレンズ固定構造。
【請求項５】
請求項１ないし３のいずれかに記載のレンズ固定構造において、
前記ナット体の外周部に、径方向外方に張り出す複数の角部を設けることを特徴とするレンズ固定構造。
【発明の詳細な説明】
【技術分野】
【０００１】
本発明は、カメラのレンズホルダ部にレンズユニットを固定するレンズ固定構造に関する。
【背景技術】
【０００２】
図４は、従来のレンズ固定構造を示す断面図である。このレンズ固定構造では、図４に示すように、レンズホルダ部１にレンズユニット３が六角穴付きの止めネジ５，７によって固定されている。止めネジ５，７を緩めることによりレンズユニット３を挿入方向Ａ上流側及び下流側に位置調節できるようになっている。なお、レンズユニット３のレンズホルダ部１への他の固定手段としては、止めネジ５，７の代わりに接着剤を用いたものがある。
【０００３】
レンズユニット３は、複数のレンズからなるレンズ系１１と、そのレンズ系１１を保持する筒状の保持部材１３と、レンズ系１１を保持部材１３内に抜け止め保持する押さえ部材１５とを備えている。レンズホルダ部１は、カメラケース１７の前面部に一体的に設けられている。カメラケース１７内には、撮像素子１９と、撮像素子１９及びその他の回路構成が実装される基板２１，２３が備えられている。
【発明の開示】
【発明が解決しようとする課題】
【０００４】
しかしながら、上述の従来技術では、レンズホルダ部１に止めネジ５，７のネジ穴を設ける必要があるため、次のような不都合がある。すなわち、レンズホルダ部１のネジ穴周辺に応力が集中するため、レンズホルダ部１の疲労破壊が生じる場合がある。また、ネジ穴加工のため、レンズホルダ部１のネジ穴の周辺面積を広くとる必要があり、構成が大型化する。また、止めネジ５，７からの応力が点状にレンズユニット３に与えられるため、レンズユニット３に与えられる応力に偏りが生じやすく、光軸のずれが生じる場合がある。
【０００５】
また、接着剤によりレンズユニット３を固定する構成では、接着剤の塗布、乾燥等に手間及び時間がかかり、コスト負担が大きいとともに、固定後にレンズユニット３の位置調節や脱着ができないという問題がある。
【０００６】
そこで、本発明の解決すべき課題は、止めネジを用いることなく、小型かつ簡易な構成で、レンズユニットの位置調節及び脱着を可能とすることができるとともに、光軸のずれも防止でき、組み立ても容易なレンズ固定構造を提供することである。
【課題を解決するための手段】
【０００７】
上記の課題を解決するため、請求項１の発明では、カメラのレンズホルダ部にレンズユニットを固定するレンズ固定構造であって、前記レンズホルダ部の外周面に第１のネジ部を設け、その内周面に前記第１のネジ部と螺合する第２のネジ部を有し、前記レンズホルダ部に外嵌されるナット体を設け、前記レンズユニットが前記レンズホルダ部内に挿入された際に互いに対向する前記レンズホルダ部及び前記レンズユニットの周面に、互いに螺合する第３及び第４のネジ部を設け、前記レンズユニットの外周部に、前記レンズホルダ部の前記第１のネジ部に螺合された前記ナット体と当接可能な当接部を設ける。
【０００８】
また、請求項２の発明では、請求項１の発明に係るレンズ固定構造において、前記第３のネジ部は、前記レンズホルダ部の内周面に設けられた雌ネジ部であり、前記第４のネジ部は、前記レンズユニットの前記レンズホルダ部内に挿入される部分の外周面に設けられた雄ネジ部である。
【０００９】
また、請求項３の発明では、請求項１の発明に係るレンズ固定構造において、前記第３のネジ部は、前記レンズホルダ部の前記レンズユニットの外周面に設けられた雄ネジ部であり、前記第４のネジ部は、前記レンズユニットに設けられた袋ナット部の内周面に設けられた雌ネジ部である。
【００１０】
また、請求項４の発明では、請求項１ないし３のいずれかの発明に係るレンズ固定構造において、前記ナット体の外周部に、ローレット筋目を設ける。
【００１１】
また、請求項５の発明では、請求項１ないし３のいずれかの発明に係るレンズ固定構造において、前記ナット体の外周部に、径方向外方に張り出す複数の角部を設ける。
【発明の効果】
【００１２】
請求項１ないし５に記載の発明によれば、ナット体をレンズホルダ部に外嵌させてそれらの第１及び第２のネジ部を互いに螺合させるとともに、レンズユニットをレンズホルダ部内に挿入してそれらの第３及び第４のネジ部を互いに螺合させ、レンズユニットをレンズホルダ部に対して回転させてその挿入位置を調節した状態で、ナット体をレンズホルダ部に対して回転させてレンズユニットの挿入方向上流側に移動させ、レンズユニットの当接部に当接させて締め付けることにより、レンズユニットをレンズホルダ部に対して所望の挿入位置で固定することができる。また、ナット体を回転させて緩めることにより、レンズユニットの位置調節や脱着を容易に行うことができる。また、レンズユニットをレンズホルダ部にねじ込んで固定するため、レンズホルダ部及びナット体からレンズユニットに与えられる応力を均一化することができ、光軸のずれを防止できる。その結果、従来の止めネジや接着剤を用いることなく、小型かつ簡易な構成で、レンズユニットの位置調節及び脱着を可能とすることができるとともに、光軸のずれも防止でき、組み立ても容易なレンズ固定構造を提供することができる。
【００１３】
また、従来のように止めネジを用いないため、部品点数も削減できる。
【００１４】
請求項４に記載の発明によれば、ナット体の外周部に設けられたローレット筋目により、ナット体の締め付け、及び緩め作業を容易に行うことができる。
【００１５】
請求項５に記載の発明によれば、ナット体の外周部に設けられた複数の角部により、ナット体の締め付け、及び緩め作業を容易に行うことができる。
【発明を実施するための最良の形態】
【００１６】
図１及び図２は、本発明の一実施形態に係るレンズ固定構造の分解斜視図及び断面図である。このレンズ固定構造は、図１及び図２に示すように、カメラ（ここでは、車載カメラ）のレンズケース３０における略筒状のレンズホルダ部３１にレンズユニット３３を固定するためのものである。なお、レンズケース３０はカメラケースと一体的に形成される場合と、別部品として別個に形成される場合がある。カメラケース及びその内部の構成は、前述の図４に示す構成とほぼ同様であり、ここでは説明を省略する。
【００１７】
本実施形態に係るレンズ固定構造では、図１及び図２に示すように、レンズユニット３３の固定が、レンズホルダ部３１に外嵌されるナット体３５を用いて行われる。レンズユニット３３は、複数のレンズから構成されるレンズ系３３１と、そのレンズ系３３１を保持する略筒状の保持部材３３２とを備えて構成され、レンズホルダ部３１の前面側（被写体側）から挿入方向Ａに沿って挿入されて保持される。レンズホルダ部３１の前面側端部の外周面には、ナット体３５が螺合される雄ネジ部（第１のネジ部）３７が設けられる。ナット体３５の内周面には、その雄ネジ部３７と螺合する雌ネジ部３９が設けられる。また、ナット体３５の外周部にはローレット筋目４１が設けられる。なお、ローレット筋目４１を設ける代わりに、ナット体３５の外周部に径方向外方に張り出す複数の角部を設けるようにしてもよい（具体的には、ナット体３５の外径形状を六角ナット形状にする等が考えられる）。
【００１８】
レンズユニット３３がレンズホルダ部３１内に挿入された際に互いに対向するレンズホルダ部３１及びレンズユニット３３の内周面及び外周面の部分には、互いに螺合する雌ネジ部（第３のネジ部）４３及び雄ネジ部（第４のネジ部）４５がそれぞれ設けられる。
【００１９】
レンズユニット３３は、レンズホルダ部３１内に挿入される小径部３３ａと、その小径部３３ａの挿入方向Ａ上流側に設けられた大径部３３ｂとを備えており、雄ネジ部４５はその小径部３３ａの外周面の一部に設けられている。大径部３３ｂは、小径部３３ａよりも大きく、しかもレンズホルダ部３１の前面側端部の外径よりも若干大きな外径を有しており、この大径部３３ｂの外縁部（フランジ部）が、ボルト体３５と当接する当接部４７となっている。
【００２０】
このレンズ固定構造の組み立ては、次のようにして行われる。まず、ナット体３５をレンズホルダ部３１に外嵌させてそれらのネジ部３７，３９を互いに螺合させる。続いて、レンズユニット３３をレンズホルダ部３１内に挿入してそれらのネジ部４３，４５を互いに螺合させ、レンズユニット３３をレンズホルダ部３１に対して正逆に回転させ、挿入方向Ａに対する挿入位置を調節する。続いて、ナット体３５をレンズホルダ部３１に対して回転させて挿入方向Ａ上流側（レンズユニット３３の当接部４７側）に移動させ、ナット体３５をレンズユニット３３の当接部４７に当接させて締め付けることにより、レンズユニット３３をレンズホルダ部３１に固定する。
【００２１】
これによって、レンズユニット３３をレンズホルダ部３１に対して所望の挿入位置で固定することができるようになっている。また、ナット体３５を回転させて緩めることにより、レンズユニット３３の位置調節や脱着を容易に行うことができるようになっている。また、レンズユニットをレンズホルダ部３１にねじ込んで固定するため、レンズホルダ部３１及びナット体３５からレンズユニット３３に与えられる応力を均一化することができ、光軸のずれを防止できるようになっている。
【００２２】
このように固定されたレンズユニット３１によって、図示しないカメラケース内に収容された撮像素子上に像が形成される。
【００２３】
以上のように、本実施形態によれば、従来の止めネジや接着剤を用いることなく、小型かつ簡易な構成で、レンズユニット３３の位置調節及び脱着を可能とすることができるとともに、光軸のずれも防止でき、組み立ても容易なため、車載カメラに適したレンズ固定構造を提供することができる。
【００２４】
また、従来のように止めネジを用いないため、部品点数も削減できる。
【００２５】
また、ナット体３５の外周部に設けられたローレット筋目４１により、ナット体３５の締め付け、及び緩め作業を容易に行うことができる。
【００２６】
なお、上述の実施形態については、図３に示すような変形例が考えられる。この変形例では、図３に示すように、前述の雌ネジ部４３及び雄ネジ部４５が省略され、その代わりに、レンズユニット３３の大径部３３ｂに、レンズホルダ部３１の前面側端部に外嵌する袋ナット部５１が設けられている。その袋ナット部５１の内周面には、レンズホルダ部３１の雄ネジ部３７に螺合する雌ネジ部（第４のネジ部）５３が設けられている。雄ネジ部３７は、ナット体３５の雌ネジ部３９及び袋ナット部５１の雌ネジ部５３の螺合相手として共用されている。このため、雄ネジ部３７における挿入方向Ａ下流側の部分が雌ネジ部３９が螺合する本発明に係る第１のネジ部に対応し、それよりも挿入方向Ａ上流側に位置する部分が雌ネジ部５３が螺合する本発明に係る第３のネジ部に対応している。そして、袋ナット部５１の挿入方向Ａ下流側端部が、ナット体３５と当接する当接部４７になっている。
【図面の簡単な説明】
【００２７】
【図１】本発明の一実施形態に係るレンズ固定構造の分解斜視図である。
【図２】図１のレンズ固定構造の断面図である。
【図３】図１のレンズ固定構造の変形例を示す断面図である。
【図４】従来のレンズ固定構造の断面図である。
【符号の説明】
【００２８】
３１  レンズホルダ部
３３  レンズユニット
３５  ナット体
３７，４５  雄ネジ部
３９，４３，５３  雌ネジ部
４１  ローレット筋目
４７  当接部
５１  袋ナット部
【図１】
2005352386.tif 000003
【図２】
2005352386.tif 000004
【図３】
2005352386.tif 000005
【図４】
2005352386.tif 000006